【手続補正書】
【提出日】平成17年4月20日(2005.4.20)
【手続補正１】
【補正対象書類名】特許請求の範囲
【補正対象項目名】全文
【補正方法】変更
【補正の内容】
【特許請求の範囲】
【請求項１】
コーディングブロックを用いた、変換を基盤とする低ビットレートのオーディオコーディングシステムにより処理されたオーディオ信号の流れの中で、信号トランジエントに先立つひずみアーティファクトを低減する方法であって、
前記コーディングシステムによる処理に先立ち、オーディオ信号の流れの中にトランジエントを検出するステップと、
前記ひずみアーティファクトの継続時間を削減するために、前記信号トランジエントに先立つ前記オーディオ信号の流れの一部をタイムスケーリングすることで、前記コーディングブロックと前記トランジエントとの時間的な関係を変化させるステップと、
を具備するひずみアーティファクトを低減する方法。
【請求項２】
前記変化させるステップは、前記コーディングシステムのエンコーダーにおける正変換の前に、前記コーディングブロックと前記トランジエントとの時間的な関係を変化させるステップである、請求項１に記載の方法。
【請求項３】
前記トランジエントの時間的な位置は、次のブロック終端の後方で当該終端の近く又は前のブロック終端の後方で当該終端の近くに移動する、請求項２に記載の方法。
【請求項４】
前記トランジエントの時間的な位置は、時間的位置の移動長さが結果的に短くなるように、次のブロック終端の後方で当該終端の近く又は前のブロック終端の後方で当該終端の近くに移動する、請求項３に記載の方法。
【請求項５】
前記コーディングシステムのデコーダーにおいて、逆変換の後に残留するひずみアーティファクトの少なくとも一部を除去するステップをさらに具備する、請求項１乃至４のいずれか１項に記載の方法。
【請求項６】
残留するひずみアーティファクト部分は、前記コーディングシステムにより伝達されたメタデータ情報により少なくとも一部分は検出される、請求項５に記載の方法。
【請求項７】
残留するひずみアーティファクト部分は、初期設定値により少なくとも一部分は検出される、請求項５に記載の方法。
【請求項８】
残留するひずみアーティファクト部分は、前記オーディオ信号の流れ内の高周波オーディオ成分により少なくとも一部分は検出される、請求項５に記載の方法。
【請求項９】
処理されたオーディオ信号の流れの時間展開が、前記変更の前のオーディオ信号の流れの時間展開と実質的に同じになるような補償的タイムスケーリングを、前記コーディングシステムのデコーダーにおいて、オーディオ信号の流れに、逆変換に続いて適用する、請求項１に記載の方法。
【請求項１０】
前記補償的タイムスケーリングを、前記信号トランジエントに先行する前記オーディオ信号の流れの部分に適用する請求項９に記載の方法。
【請求項１１】
前記コーディングシステムは、エンコーダーとデコーダーとを含み、前記エンコーダーは、前記オーディオ信号の流れのエンコードされたものと共にメタデータを前記デコーダーに伝達し、前記メタデータは、前記補償的タイムスケーリングの適用に有効な情報を含んでいる、請求項９に記載の方法。
【請求項１２】
前記タイムスケーリングは、前記トランジエントの近傍に先行する前記オーディオの流れの部分に対して実行される請求項１に記載の方法。
【請求項１３】
前記タイムスケーリングは、前記トランジエントの近傍に先行し、少なくとも一部はトランジエントにより時間的にプレマスクされた前記オーディオの流れの部分に対して実行される請求項１２に記載の方法。
【請求項１４】
前記タイムスケーリングは、コーディングシステムが適用されたオーディオ信号の流れから信号成分を削除、又はコーディングシステムが適用されたオーディオ信号の流れに信号成分を追加する効果をもつ請求項１に記載の方法。
【請求項１５】
追加のタイムスケーリングは、前記信号トランジエントの後ろに適用され、前記追加のタイムスケーリングは最初のタイムスケーリングとは反対の役割を果たす、請求項１４に記載の方法。
【請求項１６】
前記追加のタイムスケーリングは、前記コーディングシステムのエンコーダーにおいて正変換に先立ち適用される請求項１５に記載の方法。
【請求項１７】
前記追加のタイムスケーリングは、前記コーディングシステムのデコーダーにおいて逆変換に引き続き適用される請求項１５に記載の方法。
【請求項１８】
前記追加のタイムスケーリングにより追加又は削除された信号成分の継続時間は、最初のタイムスケーリングにより追加又は削除された信号成分の継続時間と各々実質的に同じであり、前記オーディオ信号の流れの継続時間が実質的に変化しない、請求項１５に記載の方法。
【請求項１９】
処理されたオーディオ信号の流れの時間展開が実質的に前記時間的位置の変更の前のオーディオ信号の流れの時間展開と同じになり、前記オーディオ信号の流れの継続時間が実質的に変化しないように、前記コーディングシステムのデコーダー内の逆変換に続いて、前記トランジエントの前の前記ひずみアーティファクトに先行するオーディオ信号の流れに補償的タイムスケーリングを適用する、請求項１４に記載の方法。
【請求項２０】
前記コーディングシステムは、エンコーダーとデコーダーとを含み、前記エンコーダーは、メタデータを前記デコーダーに伝達し、前記メタデータは、前記補償的タイムスケーリングの適用に有効な情報を含んでいる、請求項１９に記載の方法。
【請求項２１】
コーディングシステムに適用された前記オーディオ信号の流れは、オーディオ情報がサンプルにより表され、サンプルの順番が時間を表し、前記タイムスケーリングはコーディングシステムに適用されたディジタル信号の流れからサンプルを削除又はディジタル信号の流れにサンプルを追加する効果をもつディジタル信号の流れである請求項１に記載の方法。
【請求項２２】
追加のタイムスケーリングは前記信号トランジエントの後ろに適用され、前記追加のタイムスケーリングは最初のタイムスケーリングとは反対の役割を果たす、請求項１に記載の方法。
【請求項２３】
前記追加のタイムスケーリングは、前記トランジエントの近傍に続く前記オーディオの流れの部分に対して実行される請求項２２に記載の方法。
【請求項２４】
前記タイムスケーリングは、少なくとも一部はトランジエントにより時間的ポストマスクされた前記オーディオの流れの部分に対して実行される請求項２３に記載の方法。
【請求項２５】
最初のタイムスケーリングは、コーディングシステムに適用されたオーディオ信号の流れから信号成分を削除又はオーディオ信号の流れに信号成分を追加する効果を持ち、前記追加のタイムスケーリングは、前記最初のタイムスケーリングが信号成分を削除したとき、オーディオ信号の流れに信号成分を追加する効果を持ち、前記追加のタイムスケーリングは、前記最初のタイムスケーリングが信号成分を追加したとき、オーディオ信号の流れから信号成分を削除する効果を持つ、請求項２２に記載の方法。
【請求項２６】
前記追加のタイムスケーリングにより追加又は削除された信号成分の継続時間は、最初のタイムスケーリングにより追加又は削除された信号成分の継続時間と各々同じであり、前記オーディオ信号の流れの継続時間が実質的に変化しない、請求項２５に記載の方法。
【請求項２７】
コーディングシステムに適用された前記オーディオ信号の流れは、オーディオ情報がサンプルにより表され、サンプルの順番が時間を表し、前記最初のタイムスケーリングはコーディングシステムに適用されたディジタル信号の流れからサンプルを削除又はディジタル信号の流れにサンプルを追加する効果をもち、前記追加のタイムスケーリングは、前記最初のタイムスケーリングがディジタル信号の流れからサンプルを削除したとき、ディジタル信号の流れにサンプルを追加する効果を持ち、前記追加のタイムスケーリングは、前記最初のタイムスケーリングがディジタル信号の流れにサンプルを追加したとき、ディジタル信号の流れからサンプルを削除する効果を持つ、ディジタル信号の流れである、請求項２２に記載の方法。
【請求項２８】
前記検出は、複数のトランジエントを検出し、前記変更は、最初の前記トランジエントに先行するひずみアーティファクトを削減する最初の前記トランジエントの時間的位置を変更する、請求項１に記載の方法。
【請求項２９】
コーディングブロックに関する最初の前記トランジエントの時間的位置は、最初の前記トランジエントに先行する前記オーディオ信号の流れに対するタイムスケーリングにより変更される請求項２８に記載の方法。
【請求項３０】
追加のタイムスケーリングが最初の前記トランジエントの後ろで、かつ、１以上の他の前記複数のトランジエントの前に適用され、前記追加のタイムスケーリングは最初のタイムスケーリングとは反対の役割を果たす、請求項２９に記載の方法。
【請求項３１】
追加のタイムスケーリングが前記トランジエントの後ろに適用され、前記追加のタイムスケーリングは最初のタイムスケーリングとは反対の役割を果たす、請求項２９に記載の方法。
【請求項３２】
変換を基盤とする低ビットレートのオーディオコーディングシステムのデコーダーにおいて、逆変換に続くオーディオ信号の流れの中で、信号トランジエントに先立つひずみアーティファクトを低減する方法であって、
オーディオ信号の流れの中にトランジエントを検出するステップと、
少なくとも前記ひずみアーティファクトの一部に対して、前記ひずみアーティファクトの継続時間を削減するような時間圧縮を行うステップと、
を具備するひずみアーティファクトを低減する方法。
【請求項３３】
前記ひずみアーティファクト部分は、検出されたトランジエントの位置と初期設定の変数値により少なくとも一部分は検出される、請求項３２に記載の方法。
【請求項３４】
前記ひずみアーティファクト部分は、検出されたトランジエントの位置と前記トランジエントに先行する信号特性により少なくとも一部分は検出される、請求項３２に記載の方法。
【請求項３５】
前記信号特性はオーディオ信号の流れにおける高周波成分の程度を含む請求項３４に記載の方法。
【請求項３６】
さらに、前記時間圧縮に先立って、オーディオ信号の流れにおける時間展開と長さが実質的に変化しないような時間伸張を含む請求項３３、請求３４、請求項３８乃至請求項４１のいずれか１項に記載の方法。
【請求項３７】
さらに、前記時間圧縮に引き続いて、オーディオ信号の流れにおける時間展開と長さが実質的に変化しないような時間伸張を含む請求項３３、請求３４、請求項３８乃至請求項４１のいずれか１項に記載の方法。
【請求項３８】
前記トランジエントプレノイズの継続時間を削減するのに有用なメタデータ情報を受信するステップ、
を具備する請求項３２に記載の方法。
【請求項３９】
前記メタデータ情報には、１以上のオーディオブロックコーダーブロックの長さと、前記コーダーブロックの境界とオーディオデータとの関係と、前記トランジエントプレノイズの必要長さと、を具備する請求項３２に記載の方法。
【請求項４０】
変換を基盤とする低ビットレートのオーディオコーディングシステムのデコーダーにおいて、逆変換に続くオーディオ信号の流れの中で、信号トランジエントに先立つひずみアーティファクトを低減する方法であって、
前記トランジエントプレノイズの継続時間を削減するのに有用なメタデータ情報を受信するステップ、
少なくとも前記ひずみアーティファクトの一部に対して、前記ひずみアーティファクトの継続時間を削減するような時間圧縮を行うステップと、
を具備するひずみアーティファクトを低減する方法。
【請求項４１】
前記メタデータ情報には１以上のトランジエントの情報と、前記オーディオコーダーブロックの長さと、前記コーダーブロックの境界とオーディオデータとの関係と、前記トランジエントプレノイズの必要長さと、を具備する請求項４０に記載の方法。
【請求項４２】
前記メタデータ情報には１以上のトランジエントの情報と、前記オーディオコーダーブロックの長さと、前記コーダーブロックの境界とオーディオデータとの関係と、前記トランジエントプレノイズの必要長さと、を具備する請求項６に記載の方法。